(57)【特許請求の範囲】
【請求項１】
開口を有するフィードインジェクタの先端を包含し、該フィードインジェクタの先端が、供給物入口およびフランジコネクタと流体連通し、該フランジコネクタが、フィードインジェクタの先端の開口と光学的に整合するフィードインジェクタ；
フィードインジェクタのフランジコネクタに嵌合し、それによって耐ガス圧性シールを形成するような大きさのめくらフランジ；
受光端および光伝達端を有する第一の光経路；
めくらフランジに嵌合しかつ内部に第一の光経路が通る圧力密封パッキン押さえであって、それによって第一の光経路がめくらフランジを貫通することができ、かつ該第一の光経路の受光端が、フィードインジェクタ内においてフィードインジェクタの先端の開口と光学的に整合する、第一の圧力密封パッキン押さえ；
第一の光経路の光伝達端を、第一の光ファイバーケーブルに連結する第一の光カプラ；
受光端および光伝達端を有する第二の光経路；
めくらフランジに嵌合しかつ内部に第二の光経路が通る圧力密封パッキン押さえであって、それによって第二の光経路がめくらフランジを貫通することができ、かつ該第二の光経路の光伝達端が、フィードインジェクタ内においてフィードインジェクタの先端の開口と光学的に整合する第二の圧力密封パッキン押さえ；
第二の光経路の受光端を、第二の光ファイバーケーブルに連結する第二の光カプラ；ならびに
第一および第二の光ファイバーケーブルに光学的に接続されているレーザーベースの高温計であって、該高温計の高温計検出器が第一の光ファイバーケーブルに光学的に結合され、レーザー光源から出た光が、第二の光ファイバーケーブルを通って第二の光経路の受光端に達し、第二の光経路を通って該光経路の光伝達端とインジェクタの先端の開口とから出るように、該高温計のレーザー光源が第二の光ファイバーケーブルに光学的に結合される高温計
をさらに含み；ここで
第一の光経路の受光端が、第二の光経路によって伝達されるインジェクタの先端の開口から出射されたレーザー光の反射を受容するように、光学的に整合された、装置。
【請求項２】
第一および第二の光経路が、サファイアロッドまたはサファイア製光ファイバーである、請求項１記載の装置。
【請求項３】
第一および第二の末端を有し、該第一の末端がめくらフランジの反応器側の面に固定して連結され、該第二の末端がフィードインジェクタの先端の開口と光学的に整合する第一の光隔離管；ならびに
焦点が第一の光経路の受光端となるように、第一の光隔離管内で該第一の末端と該第二の末端との間に位置決めされている第一の結像レンズ
をさらに含む、請求項１または２記載の装置。
【請求項４】
フィードインジェクタのフランジコネクタとめくらフランジとの間に挿入されるスプール部品であって、反応器側の端および高温計側の端を有し、該反応器側の端が気密連結でフランジコネクタに連結され、該高温計側の端が気密連結でめくらフランジの反応器側の面に連結されたスプール部品；
ならびに
気密連結でめくらフランジの高温計側の面に連結され、第一および第二の光ファイバーケーブルを収容する安全緩衝室
をさらに含み、該安全緩衝室は、第一および第二の光ファイバーケーブルが安全緩衝室から出ることを可能にし、そのようにして、第一および第二の光ファイバーケーブルの末端が、高温計に連結されるのを可能にする、二次圧力密封パッキン押さえを含む、請求項１または２記載の装置。
【請求項５】
第一および第二の末端を有し、該第一の末端がめくらフランジの反応器側の面に固定して連結され、該第二の末端がフィードインジェクタの先端の開口と光学的に整合する第二の光隔離管；ならびに、
焦点が第二の光経路の光伝達端となるように、第二の光隔離管内で該第一の末端と該第二の末端との間に位置決めされている第二の結像レンズ
をさらに含む、請求項４記載の装置。
【請求項６】
安全緩衝室が、反応器の圧力より高い圧力であるように、高圧窒素ガス源に連結され；そして安全緩衝室、第一および第二の圧力密封パッキン押さえおよび二次圧力密封パッキン押さえにおける洩れを検出するように、安全緩衝室への窒素の圧力および流れを監視する安全警報システムに連結されている、請求項５記載の装置。
【請求項７】
フィードインジェクタのフランジコネクタとスプール部品の反応器側の端との間に位置する安全ボール弁をさらに含み、該安全ボール弁の閉鎖により光の経路を閉じる、請求項４から６のいずれか１項記載の装置。
【発明の詳細な説明】
【０００１】
【発明の分野】
本発明は、高圧、高温条件下における、反応器の温度を決定するのに有用な装置を一般的に指向する。特に、本発明は、光学的高温計を用いて、該光学的高温計を反応器から離れた部位に位置させながら、ガス化ユニットの温度を測定するのを可能にする。
【０００２】
【背景】
たとえば、石炭またはコークスのような、炭化水素燃料のガス化においては、粒子状の形態の燃料を、酸化ガスとともにガス化装置の反応室に供給する。酸化ガスとの粒子状燃料の反応は、粗合成ガスの生成を結果としてもたらし、それはその後の処理のためにガス化装置から運び出される。反応室内の事象は、使用できるガスばかりでなく、燃焼しようとする燃料に大きく依存する組成を有するスラグも生成する。このためのガス化装置は、当業界に周知の、比較的高い温度および圧力で操作しなければならないため、燃焼室内での状態を、常時監視しなければならない。
【０００３】
通常、ガス化装置は、１個またはそれ以上の温度監視装置を備えている。そのような装置のひとつは、熱電対であって、複数の熱電対を、ガス化装置反応室の耐火物で裏打ちした壁全体に配置してよい。熱電対は、耐火物の薄い層によって反応室の炎から隔離されるようにして、ガス化装置内に設置する。これは、比較的壊れやすい熱電対の結合を、反応室内部の環境から保護するためになされる。その結果、熱電対は、反応温度を直接感知せず、代わりに、反応室の耐火物層越しに伝達される熱に応答する。認識すべきことに、伝導性の伝熱に固有の時差の結果として、反応器内の温度の変化に対する熱電対の応答には、かなりの遅延があり得る。これは、反応開始が急速な温度上昇を招く、ガス化装置の始動の際に特に該当するが、反応が開始されたことを確認するには、この上昇を検出しなければならない。それに加えて、伝熱の時差は、正常なガス化装置の操作の際の操作条件に応答して、熱電対に影響する。
【０００４】
熱電対に対する代替物として、時々、高温計が、反応温度を測定するために用いられる。物理的には、高温計は、反応器の外部に取り付けられ、通常は、高温計から反応器室内に伸び、掃気された観測管を通じて、反応室を観察する。
【０００５】
高温計による温度モニタの大きな弱点は、観測管を閉塞なしに保つ際に遭遇する困難から生じる。閉塞の可能性は高く、粒子を搬送するガスの急速な渦流を特徴とする、反応室内の雰囲気から生じる。さらに、燃料内のガス化できない物質から生じるスラグが、反応室の周囲で同様に渦巻いて、後者の壁に接触する。ガス化装置の下端に向かって下降する途中で、スラグは、通常、反応室の壁に粘着する傾向を示す。粘着するスラグおよび渦巻く粒子は、反応室の壁に位置決めされる高温計の観測管の操作を妨害する。それに加えて、ガス化装置の始動の過程で、燃料が、酸化性物質の前に反応器に導入される。状況および燃料、たとえば石炭−水スラリーに応じて、反応しなかった燃料による高温計観測管の閉塞の、増大する傾向が存在する。
【０００６】
交互に、非プロセスガス（たとえば窒素のような不活性ガス）をパージガスとして用いるならば、反応室からの生成物は、高温計パージガスによって僅かに希釈されることになる。ガス化装置が、化学プロセスの合成ガスを生成しているならば、希釈性ガスの存在は、許容されないこともある。
【０００７】
高圧反応器内に向けての清浄な観測ラインを、反応容器の圧力の保持とともに維持するためには、精巧な高圧観測ガラスを包含する光学的アクセスポートが要求される。たとえば、石炭ガス化の場合、ガスにより掃気される観測ガラスの配置（たとえば、米国特許第５，０００，５８０号明細書を参照されたい）が、観測ガラスを、ガス化装置の内部のあちこちで渦巻く融解スラグおよび固体粒子なしに保つために用いられる。安全上の理由で、非常用遮断システムに連結された遮断弁もまた、観測ガラスが破損した場合に、ガス化装置が光学的アクセスポートを通して減圧されるのを防ぐのに用いられる。
【０００８】
現在の光学的アクセスポートは、効果的であり、信頼できる。しかしながら、それらは、高価であり、安全に関する追加された配慮を工程に導入し（観測ガラスの破損に関する僅かな可能性のため）、そして必要とされるパージガスが、時々、反応器の生成物中の望ましくない希釈剤となる。また、その大きさのため、ただ１回の光学的アクセスによって、１回より多くの工程測定を得るのを困難にする。しかしながら、最近のプロセス安全システムは、しばしば三重に冗長な測定を必要とする。
【０００９】
特定の状況下では、ガス化法自体の要素を用いることによって、複雑な高圧観測ガラス、および光路パージシステムを排除できる可能性がある。たとえば、天然ガスのガス化では、二噴流プロセスインジェクタを用いるとき、酸素ランス供給管が、まったく閉塞されない環状断面の観測路を反応室内に与える。流れる酸素自体が、パージガスとして働く。そして、プロセスインジェクタの出口の反応帯は、完全にガス状であるため、反応室の内部への光路を閉塞するもの（固体または液体の粒子）はない。米国特許第５，２８１，２４３号明細書は、プロセスフィードインジェクタ酸素ランスによって、ガス化装置温度を測定する、一つのそのような機構を示している。
【００１０】
米国特許第５，０００，５８０号および第５，２８１，２４２号明細書における発明は、好結果を得ているが、本発明は、光学的部位の窓の必要性を排除することで、光学的アクセスを単純化することによって、ガス化装置の温度を測定できる可能性を大幅に向上させる。それに加えて、本発明は、測定システムを、反応器の苛酷な条件が与えられても、より頑強かつ耐久性にしつつ、従来は不可能であった、三重に冗長な温度測定を得ることも可能にする。
【００１１】
【発明の要約】
本発明は、光高温計を用いて反応器の温度を測定する装置を一般的に指向する。そのような装置の例示的な実施態様は、フィードインジェクタ、めくらフランジ、光経路、圧力密封パッキン押さえ、光カプラおよび高温計を包含する。フィードインジェクタは、開口を有するフィードインジェクタの先端を包含し、該フィードインジェクタの先端は、供給物入口およびフランジコネクタと流体連絡し、該フランジコネクタは、フィードインジェクタの先端の開口と光学的に整合する。めくらフランジは、フィードインジェクタのフランジコネクタに嵌合し、それによって耐ガス圧性シールを形成するような大きさでなければならない。圧力密封パッキン押さえは、光経路が、めくらフランジを貫通することができ、かつ光経路の受光端が、フィードインジェクタ内に、光経路の受光端がフィードインジェクタの先端の開口と光学的に整合するよう伸びるように、めくらフランジに嵌合する。光カプラは、光ファイバーケーブルへ、したがってまた高温計への光経路の光伝達端の間で、光学的連結として機能する。
【００１２】
一つの好適な実施態様では、この装置は、受光端および光伝達端を有する第二の光経路と；該第二の光経路がめくらフランジを貫通することができ、かつ該光経路の光伝達端がフィードインジェクタの先端の開口と光学的に整合するように、めくらフランジに嵌合する第二の圧力密封パッキン押さえと；第二の光経路の受光端を、第二の光ファイバーケーブルに連結する、第二の光カプラとをさらに包含する。高温計内のコヒーレント光源は、光が、光源から出て、第二の光ファイバーケーブルを通って第二の光経路の受光端に達し、該第二の光経路を通って、該光経路の光伝達端、およびインジェクタの先端の開口から出るように、光経路に光学的に連結しなければならない。第一の光経路の受容端は、第二の光経路が伝達するコヒーレント光の、インジェクタの先端の開口からの反射を受容するように、光学的に整合しなければならない。一つの実施態様では、光経路は、サファイアロッドまたはサファイア製光ファイバーであってよい。これに代えて、該光経路は、金属で被覆されたシリカ製光ファイバーであってもよい。
【００１３】
本発明のこれらおよびその他の特徴は、下記の本発明の例示的な実施態様の記載の中でより充分に説明する。下記の記載は、添付する図を参照して述べる。
【００１４】
【発明の開示】
ここで図面を参照すると、図１は、本発明の実施態様を具体化するプロセスフィードインジェクタ酸素ランス２の模式的断面図を示す。該プロセスフィードインジェクタは、Inconel 600またはその他の適切な材料で製造される。溶接ネックフランジ４は、ランスの頂部に連結され、インジェクタの先端６は、ランスの底部に連結される。酸素その他の適切な酸化性物質は、インジェクタの先端と流体連結する酸化性物質入口通路８を通じて導入される。Ｔ継手として示されてはいるが、他の実施態様も、当業者には明らかであろう。めくらフランジ１０は、慣用の方法で溶接ネックに連結され、これを密封する。
【００１５】
めくらフランジは、該めくらフランジを取り付けたとき、プロセス供給物である酸素インジェクタランスの中心軸沿いに心合わせされた、圧力シール嵌合１２に結合されている。この連結は、めくらフランジに圧力シール嵌合を結合する結果、結合が永続的、かつ耐圧性および耐温性になるのに適した、図示したようなねじ切り結合、またはその他の手段であってよい。圧力シール嵌合は、圧力シール本体１４、圧力シール座１６、圧力シールシーリング材１７、圧力シール従動節１８および圧力シールキャップ２０を包含する。圧力シール嵌合は、１個またはそれ以上の光経路２２の挿入によって、光路を生成するように適合される。本実施態様では、うち２個が各高温計のためである６個の光経路を用いて、フィードインジェクタ酸素ランスの内部と、めくらフランジ外の領域との間に圧力バリヤを形成する。各光経路は、高温計の測定システムと光学的に両立でき、かつプロセスフィードインジェクタ酸素ランスの内部の環境に耐えられなければならない。一つの実施態様では、サファイアロッドが、光経路として役立つが、金属で被覆されたシリカ製光ファイバーのような他の材料、またはそれに類似の他の材料を、遭遇する条件、および該高温計が用いる光の波長に応じて、光経路として用いてもよい。そのような材料の選択は、当業者には容易に明らかなはずであり、試行錯誤によって容易に決定することができる。
【００１６】
本実施態様の光経路は、２個の末端、すなわち集束端２４および光ファイバー結合端２６を有する。光経路の集束端（図２に示す）は、フィードインジェクタの内部に露出する末端であり、反応器の温度を決定するために高温計が用いる光を集束かつ集積するのに役立つ。別個のレンズの使用は、本発明の範囲内に包含されるが、可能ならば、光経路の集束端は、別個のレンズを用いることなく開口数を変えるように、改良しなければならない。光経路の光ファイバー結合端は、柔軟性光ファイバーケーブル２８に光学的に結合できるように適合させる。ついで、柔軟性光ファイバーケーブルを、高温計（図示せず）に、光学的に結合する。図示した実施態様では、レーザによる高温計を用いるために、１個の光経路、すなわち伝達用の光経路２２ａをレーザ源に光学的に結合し、第二の光経路、すなわち検出用の光経路２２ｂを、高温計検出器に結合する。そのような実施態様では、レーザ光のパルスは、高温計のレーザ源から、柔軟性光ファイバーケーブル２８ａを通り、光経路２２ａから出て、反応器内へと送られる。レーザ光は、反応器壁によって反射され、検出用の光経路２２ｂに戻り、そこで光経路、および柔軟性光ファイバーケーブル２８ｂを通って、高温計検出器に達する。それに加えて、高温度の反応器壁が放射する赤外線も、光経路２２ｂおよび柔軟性光ファイバーケーブル２８ｂを経由して、高温計によって検出される。レーザによる高温計は、反射されたレーザパルスの測定を用いて、反応器壁の放射率を決定する。既知の反応器壁の放射率により、高温計は、放射率と、高い温度の反応器壁が放射する、検出された赤外線放射の測定とから、反応器の温度を計算することができる。
【００１７】
図１に示した例示的な実施態様では、３対の、都合６本の光経路を用いて、三重の冗長性を達成する。明瞭さのために、６本の光経路のうち４本は、図１に示されていない。
【００１８】
本発明の代替的な実施態様を、図３に示す。図示された実施態様では、光経路は、それぞれ、上記の実施態様におけるような、多数の光経路に対する１個の圧力シール嵌合とは対照的に、それ自身のシール嵌合３０を有する。すべての配管およびフランジ構成要素は、慣用的であり、装置と両立できる材料で製造する。それに加えて、スプール部品３２が挿入されているため、プロセスフィードインジェクタ酸素ランスの内部に、補足的な光学的構成要素のための追加の空間を与える。該補足的な光学的構成要素は、めくらフランジ３６の底部に連結された光隔離管（optical isolation tube）３４を包含する。光隔離管の役割は、反応器の温度の決定に用いられるレーザ光のビームを集束させることである。図示したとおり、光隔離管は、酸素と共存できる材料で製造された管であって、その中に小さい結像レンズ３８が取り付けられている。結像レンズの役割は、レーザ光のビームを光経路の末端に集束させることである。該レンズは、サファイアで製造してもよく、または石英その他の高温度で光学的に透明な材料のような、他の適切な材料で製造してもよい。レンズを取り付けるのに、保持手段、たとえば保持リング、保持スリーブその他を、光隔離管の、めくらフランジに連結されない末端の中または上に用いてよい。
【００１９】
図４は、めくらフランジ内の６個の圧力シール嵌合の位置のレイアウトの平面図である。同じ数字の圧力シール嵌合を、互いに、かつ同じ高温計に光学的に結合する。伝達用光通路に対して用いられる圧力シール嵌合は、数字の後に文字「ａ」が与えられるが、対応する受光用光経路に対しての圧力嵌合は、文字「ｂ」によって表される。図示したレイアウトは、一つの可能なレイアウトの図解であり、当業者は、本発明の範囲内と考えられる、他の代替的レイアウトを容易に作成できるであろう。
【００２０】
図５は、本発明のさらにもう一つの実施態様を例示する。図３に示したスプール部品に加え、安全緩衝室５０が包含されている。該安全緩衝室は、加圧窒素ガス源５１に連結しているため、光経路を保持する圧力嵌合の洩れというありそうもない事態の際に、酸素はまったく漏出しない。代わりに、安全緩衝室内の窒素の圧力は、酸素の圧力より高く、いかなる洩れも、少量の窒素を反応器内に洩れ込ませることになる。安全警報システム５２は、安全緩衝室内の圧力と、緩衝室への窒素ライン内のゼロ流状態とを監視する。該室内の圧力が低下するか、または窒素の流れが検出されたならば、警報が誘発されて、反応器の操作者に警告する。図示したとおり、安全緩衝室は、Ｔ字嵌合であって、「Ｔ字」の１個の分岐は、めくらフランジに連結され、ついで、それは、高圧窒素源、および上記のとおり洩れを検出する警報システムに連結される。「Ｔ字」の反対側の分岐は、複数の（６個が示されている）高圧密封パッキン押さえ５４を受容するよう適合させためくらフランジに結合され、該パッキン押さえは、それぞれ、柔軟性光ファイバーケーブル５６が安全緩衝室の外部から安全緩衝室の内部へと通過するのを可能にする。光ファイバーコネクタ５９は、安全緩衝室の内部で、柔軟性光ファイバーケーブルのループ５８に、外部光ファイバーケーブル５６を連結する。柔軟性光ファイバーケーブルのこれらの内部ループは、組立ておよび分解を容易にするために存在する。図４には、反応器の制御室に三つの温度出力値を与え、そのようにしてシステムを三重に冗長にさせる、３個の外部高温計ユニット６０も示されている。
【００２１】
この点で注目すべきなのは、本発明の上記の実施態様の重要な要素は、（１）プロセスフィードインジェクタ酸素ランスを、ガス化装置の高温、高圧の敵対的な環境内への掃気された観測路として用いること；（２）光ファイバー構成要素を、プロセスインジェクタの頂部フランジに位置する一つまたは一連の高圧シールからの、光学的アクセスを与えるために用いること；ならびに（３）プロセスフィードインジェクタ酸素ランスの内部にあっては、該フィードインジェクタ酸素ランスの出口の小さな開口を通って、高温計の光学系を集束させるのに、何らかの最終的な光学的要素が必要とされることの認識であることである。この最終的な光学的要素は、光ファイバーの末端に直接形成することができるか、これに代えて、追加のレンズを、プロセスインジェクタの内部に取り付けることができる。光学系設計の当業者は、固定された、充分に支持された、最終的な光学的集束システムである、所望の結果を達成するのに必要な工学技術の詳細を解決することができるはずである。そのようなシステムは、高温計のための実行可能な、掃気された光路を与えるばかりでなく、高度に信頼性に富む圧力シールも与える。
【００２２】
注目すべきことに、図面は、唯一の光ファイバーであるフィードスルーを有する高圧光ファイバーシールを示すが、同じ基本概念を、多数のセンサに合わせるために、多数のフィードスルーを有する１個の圧力密封パッキン押さえへと容易に拡張できることを、明確に理解しなければならない。事実、商業的に入手できる高圧光ファイバーシールは、３、４対またはそれ以上のフィードスルーを有して製造されている。このようにして、１個のチャネルを用いて、パルス化されたレーザビームを反応器内に発射し、第二のチャネルを用いて、反射されたレーザパルスを測定し、かつ高温の反応器によって生成された赤外線放射を測定する高温計に、容易に合わせることができる。こうして、光ファイバーのフィードスルーの３個の対は、ガス化装置のプロセスインジェクタの、フィードインジェクタ酸素ランスを通して意図される、レーザに基づく高温計を用いて、三重に冗長である温度測定に到達する手段を与えるであろう。
【００２３】
図６は、天然ガスのガス化ユニットのプロセスフィードインジェクタ酸素ランスの場合におけるような、観測管を掃気するのに利用できるガス供給物を有するガスプロセスフィードインジェクタがない反応容器に用いるように、本発明を適合させることができる方法の例示を含む。図示したように、耐火物で裏打ちされた高温高圧反応器４０２の壁は、反応器の壁を流下する溶融スラグ層４０３を有する。耐火物ライニング４０４は、熱を反応器内に保持するのを助け、金属壁４０５は、反応器の構造的保全を与える。反応器の金属製外壁４０５には、安全ボール弁４０８が連結されるフランジ連結部４０６が取り付けられる。安全遮断弁４０８の使用および操作は、米国特許第５，０００，５８０号明細書に説明されており、ここに引用によって本明細書に全体が組み込まれる。この安全ボール弁は、任意であると見なし得るが、これを包含することは、追加的レベルの安全性を与え、本発明の光学高温計ユニットの、反応器の遮断の必要のない保守を可能にする。スプール部品４１０は、光経路４１４、および該光経路の集束端上の集束エレメント４１２のために、余地を与えるのに利用される。スプール部品には、高圧窒素ガス入口４１１も連結され、これが、光学的に清浄なパージガスが光路４１７に進入するのを可能にする。ガスの流れは、光路をスラグその他の蓄積し得る材料が存在しないように保つように働く。光経路４１４のための一次圧力密封パッキン押さえ４１３は、スプール部品を窒素緩衝室４２０に連結する、フランジ圧縮プレート嵌合の一部である、位置決めプレート４１５を通過する。高圧窒素は、めくらフランジ４２６を通過する窒素ライン４２４によって、窒素緩衝室に与えられる。窒素緩衝室内への窒素の圧力および流れを監視することによって、洩れの存在を決定し得る。光経路４１４の光ファイバー結合端では、光ファイバーコネクタ４１６が、柔軟性光ファイバーケーブル４１８を光経路に結合する。該柔軟性光ファイバーケーブルは、窒素緩衝室を通過し、めくらフランジ４２８内の二次圧力密封パッキン押さえ４２２を経由して出る。高温計ユニット（図示せず）は、光ファイバーケーブル、および決定される反応器の温度に連結される。
【００２４】
本実施態様では、窒素パージは、ガス入口４１１からパージ媒体として導入され、その流れは、観測路を清浄に保つ。高温計の光学的アクセスポートが、石炭または石油コークスのような、灰分を含有する（スラグを形成する）供給物で操作されるガス化装置の中を観察するような場合は、蓄積するスラグによって生じる観測管開口の漸進的閉塞の影響に対する感度が低下するため、比（二波長）高温計を用いることができるであろう。当業者は、図６が、上記に説明された基本的な三要素の概念の枠を越え、プロセスインジェクタの中心通路を観察することができないか、または望まれない状況にあってさえ、光学的アクセスを与えるために、理念のうちいくらかを用いることができる方法を示すことに、注目するであろう。
【００２５】
図７は、本発明のさらにもう一つの実施態様を例示する。図示したとおり、耐火物で裏打ちされた高温高圧反応器５０２の壁は、反応器壁伝いを流下する溶融スラグ層５０３を有する。耐火物ライニング５０４は、熱を反応器内に保持するのを助け、壁５０１は、反応器の構造的保持を与える。反応器の金属製外壁５０１には、一次パージリング５０５を有するフランジ圧縮プレート嵌合５０６が取り付けられる。一次パージリングは、高圧窒素ガス入口５０７がそれに連結され、これが、ついで、一次パージ環５０９を貫いて一次パージリングの出口５０８へと通じるが、該環は、サーモウェル５３０の壁およびフランジ嵌合によって、サーモウェルの末端に蓄積し得る、いかなるスラグも除去するように形成される。フランジ圧縮嵌合には、スプール部品５１０が取り付けられ、その内部に、光経路５１４の集束端および集束エレメント５１２がある。スプール部品には、窒素ガスライン５１１も取り付けられ、加圧窒素ガスを与えて、こうして第一の窒素ガス緩衝帯を形成する。該第一の窒素緩衝帯への窒素ガスの圧力および流れは、監視できるため、洩れが生じたならば検出することができ、修正措置を講じることができる。スプール部品の一次窒素パージリング５０５からの他端には、第二のフランジ圧縮嵌合５１９があり、ここで、位置決めプレート５１５は、光経路のための一次圧力密封パッキン押さえ５１３を包含する。第二の圧縮フランジには、先に記したのと類似の窒素緩衝室５２０も連結される。窒素緩衝室内で、光経路５１４は、光ファイバーコネクタ５１６を用いて柔軟性光ファイバーケーブルに光学的に結合される。該柔軟性光ファイバーケーブル５１８は、該柔軟性光ファイバーケーブル５１８のための二次圧力密封パッキン押さえ５２２を通過した後に、高温計（図示せず）に光学的に連結されるため、サーモウェルの温度を測定することができる。前記の窒素緩衝室によるのと同様に、高圧窒素ライン５２４は、窒素を与え、そして生じ得るいかなる洩れについても監視することを可能にする。
【００２６】
本例示的な実施態様では、ガス化装置内部への透明な光学的観測路は、用いない。その代りに、光ファイバーが、サーモウェル５３０の内表面を観測する。サーモウェルは、敵対的環境に熱電対を挿入するときに、常に用いられる、保護スリーブである。この場合、高度に伝導性であり、非常に丈夫なサーモウェル材料、たとえばＴＺＭ合金モリブデンを用いるが、他の適切な材料も用いてよい。サーモウェルが高い伝導度を有するため、先端は、ガス化装置内部の温度に近い温度に達することになる。高温計の光ファイバーを、黒体空洞の形態に機械加工することさえできる、高温の先端の内部に集束させると、高温計は、反応器内部の温度に非常に近い温度を感知することになる。
【００２７】
この概念のいくつかの特徴を、説明しなければならない。機械的には、サーモウェル、およびさまざまなフランジを有する部品は、組立品全体が、ガス化装置中より高いレベルにまで加圧することができる、小型の圧密容器になるように組み立てる。これは、窒素入口ライン５１１を介して実施され、二つのことを達成する。第一に、ガス化装置内部の汚れた環境から、光学機器を隔離し、そして保護する。第二に、サーモウェルの洩れ、または大きな裂け目を生じた場合に、光学機器に向かって流出する高温の汚れた合成ガスにではなく、むしろこの「二次」窒素が、ガス化装置に流入し始める。これは、二つの理由で優れている。第一に、光学機器は、清浄に保たれなければならない。第二に、かつより重要なことに、高温のガスは、容器ノズルを通じての減圧、すなわち火災および重大な容器破損へと導きかねない事故を阻止しなければならない。「一次」窒素をライン５０７を経由して導入する主な理由は、ガス化装置の予熱の際の酸化からモリブデンのサーモウェルを保護することである。この流れは、始動直後に止められ、停止直後に再開される。サーモウェルに対する冷却効果を最小化するために、これらの期間は、低い流量を用いる。蓄積したスラグをサーモウェルの先端から吹き飛ばすために、一次窒素パージは、周期的なパルスとすることもでき、それは測定をより応答性にするはずである。最後に、管路５２４を経由して導入される「緩衝窒素」は、二次窒素とガス化装置の双方より高い圧力に設定されるが、バックアップという安全性の特徴として用いられる。サーモウェルと、光経路に沿っての一次圧力供給との双方が洩れるという、ありそうもない事故の際は、緩衝窒素は、ガス化装置に流入して、光学機器への損傷を防ぎ、光学的アクセスポートを通じてガス化装置を減圧するであろう。
【００２８】
レーザに基づく高温計を用いることができるが、図６および７に示した光学的アクセスポートは、二波長高温計とともに用いてもよい。二波長高温計の使用は、干渉性材料によって周期的に部分閉塞になることがある、標的の温度を測定したいときはいつでも、より望ましい。
【００２９】
図８は、本発明のさらにもう一つの実施態様の、ガス化ユニットに現在用いられているフィードインジェクタ酸素ランスへの取付けに関する断面図である。図示したとおり、溶接連結用スプール部品６００は、慣用のスタッド６０４、ナット６０２および圧縮リング６０７の配置によって、本発明によって改良されためくらフランジ部品６０８に連結される。めくらフランジの、溶接連結用スプール部品に面する面には、結像レンズバレル６１０が、止めネジ６１１によって固定される。結像レンズバレル内には結像レンズ室６１２があり、ここで結像レンズ６１３は、レンズ締付けリング６１４によって取り付けられている。結像レンズは、サファイア、石英その他の耐高圧性材料を包含する、適切な、光学的に透明な、どのような材料で製造してもよい。結像レンズ室は、光経路６１６が貫通する一次圧力密封パッキン押さえ６１５に、該室の他端が適合できるような大きさを有する。一次圧力密封パッキン押さえ自体は、めくらフランジプレートに固定され、図９にさらに詳細に示される。光経路は、めくらフランジおよび窒素圧力キャップ６１８が形成する、加圧窒素緩衝室６１７を貫通する。窒素圧力キャップは、めくらフランジプレート６０８に溶接されている。また、シールフランジ止めネジ６２０によってシールフランジ６１９にも連結される。窒素は、窒素入口６２１を経由して窒素緩衝室に供給される。窒素緩衝室の内外への窒素の圧力および流れを監視して、洩れの存在を決定することができる。窒素圧力キャップを、二次圧力密封パッキン押さえ６２２が貫通して、光経路自体が、システムの圧力的保全に不都合に影響することなく窒素圧力キャップを貫通するのを可能にする。二次圧力密封パッキン押さえを貫通した後、光経路は、光ファイバーコネクタ６２３によって、柔軟性光ファイバーケーブル６２４に光学的に連結される。光ファイバーケーブル自体は、遠隔的に装着されてよい光学高温計（図示せず）に光学的に連結される。この光学的連結は、窒素圧力キャップのシールフランジに取り外せるよう結合された内側保護スリーブ６２５によって、偶然の損傷または破壊から保護される。窒素圧力キャップの偶然の破壊に対する追加的レベルの安全性は、めくらフランジ部品面に取り外せるよう連結された、外側保護スリーブ６２６によって与えられる。
【００３０】
加圧窒素室７００の、光経路が貫通する部分の詳細を図９に示す。図示したとおり、めくらフランジ７０２が、一次圧力密封パッキン押さえ７０４に嵌合されるため、光経路７０６（この場合は光ファイバー）は、該めくらフランジを貫通することができる。一次圧力密封パッキン押さえは、パッキン押さえ本体７１０、光ファイバー用Ｔフェルール７１２、Ｔフェルールワッシャ７１４および圧縮ナット７１３を包含する。該パッキン押さえは、ラバシール（lava seal）その他のなんらかの耐高温密封材のような、破砕できるシーリング材７１１も利用して、耐熱性および耐圧性シールを確保する。光経路は、加圧窒素緩衝室を貫通し、ついで、二次圧力密封パッキン押さえ７１８を経由して、窒素圧力キャップ７１６を貫通する。二次圧力密封パッキン押さえは、一次圧力密封パッキン押さえに類似し、パッキン押さえ本体７２０、光ファイバー用Ｔフェルール７２２、Ｔフェルールワッシャ７２４、圧縮ナット７２３、およびシステムの圧力保全を維持するための破砕できるシーリング材７２１を包含する。前記のとおり、一次圧力密封パッキン押さえは、結像レンズバレル内で結像レンズ室に挿入できるような大きさおよび形状を有する。それに加えて、一次圧力密封パッキン押さえは、結像レンズが、出入りするレーザパルスを光ファイバーの末端に集束させるような長さでなければならない。二次圧力密封パッキン押さえは、光ファイバーコネクタ７２９が、光ファイバーの光ファイバー結合端を柔軟性光ファイバーケーブル７２８に光学的に連結できるように、配置しなければならない。
【００３１】
この特定の実施態様では、光ファイバーの周囲のメタルクラッドが、好適であることが見出されている。メタルクラッドは、高圧密封パッキン押さえ内に発生する熱力学的な力に起因する応力によって起こる、光ファイバーの破壊を防ぐのを助けると考えられる。メタルクラッドは、光ファイバーを被覆するのに適し、反応器内に発生する過程の状態および要件と両立する、いかなる金属であってもよい。一つの好適な実施態様では、該メタルクラッドは、アルミニウム、金、白金、銀、銅、ならびにこれらの金属の組合せおよび合金から選ばれ、より好ましいのは、金のクラッドである。
【００３２】
上記の開示を考慮して、当業者は、本発明が、反応器の温度を測定する装置を包含することを認識しなければならない。そのような装置は、フィードインジェクタ、めくらフランジ、光経路、圧力密封パッキン押さえ、光カプラ、光集束手段および高温計を含まなければならない。フィードインジェクタは、開口を有するフィードインジェクタの先端を含み、該フィードインジェクタの先端は、供給物入口およびフランジコネクタと流体連絡し、該フランジコネクタは、フィードインジェクタの先端の開口と光学的に整合する。めくらフランジは、フィードインジェクタのフランジコネクタに嵌合し、それによって耐気圧性シールを形成するような大きさでなければならない。圧力密封パッキン押さえは、光経路が、めくらフランジを貫通することができ、かつ光経路の受容端が、フィードインジェクタ内に、光経路の受光端がフィードインジェクタの先端の開口と光学的に整合するよう伸びるように、めくらフランジに嵌合される。光カプラは、光ファイバーケーブル、したがってまた高温計への光経路の光伝達端の間で、光学的連結として機能する。
【００３３】
一つの好適な実施態様では、この装置は、受光端および光伝達端を有する第二の光経路と；第二の光経路がめくらフランジを貫通することができ、かつ該光経路の光伝達端がフィードインジェクタの先端の開口と光学的に整合するように、めくらフランジに嵌合される第二の圧力密封パッキン押さえと；第二の光経路の受光端を第二の光ファイバーケーブルに連結する、第二の光カプラとをさらに含む。高温計内のコヒーレント光源は、光が、光源から出て、第二の光ファイバーケーブルを通って第二の光経路の受光端に達し、第二の光経路を通って該光経路の光伝達端、およびインジェクタの先端の開口から出るように、光経路に光学的に連結しなければならない。第一の光経路の受容端は、第二の光経路が伝達するコヒーレント光の、インジェクタの先端の開口からの反射を受容するように、光学的に整合しなければならない。一つの実施態様では、光経路は、サファイアロッドまたはサファイア製光ファイバーであってよい。これに代えて、光経路は、金属で被覆されたシリカ製光ファイバーであってもよい。
【００３４】
本発明のもう一つの例示的な実施態様は、光高温計を用いて、圧力および温度下の反応器の温度を測定する装置を包含する。そのような例示的な実施態様は、反応器への連結端および高温計への連結端を有する溶接連結用スプール部品；ならびに対反応器側の面および高温計側の面を有するめくらフランジを包含してよく、めくらフランジの反応器側の面は、溶接連結用スプール部品の高温計側の連結端に嵌合する大きさである。めくらフランジの反応器側の面には、少なくとも１個の一次圧力密封パッキン押さえを嵌合させてよい。一次圧力密封パッキン押さえの役割は、めくらフランジ連結の圧力の保持を妨害することのない、光経路によるめくらフランジの貫通を可能にすることである。光経路自体は、受光端および光伝達端を有し、該光経路は、一次圧力密封パッキン押さえを経由してめくらフランジを貫通する。これは、光経路の受光端を、反応器内から発散する光を受容するように位置決めする。結像レンズバレルは、めくらフランジの反応器側の面に連結されてよく、結像レンズバレルは、溶接連結用スプール部品に挿入し得るような大きさでなければならない。結像レンズバレルは、一次圧力密封パッキン押さえが、めくらフランジの反応器側の面で結像レンズ室に挿入されるような大きさおよび位置の、少なくとも１個の結像レンズ室を有する。結像レンズ室は、その中に固定された結像レンズをも有し、該レンズは、焦点がほぼ光経路の受光端となるように、結像レンズ室内に位置決めされている。凹部がある反応器側の面を有する圧力キャップは、めくらフランジの高温計側の面とともに、加圧ガス室を形成する。圧力キャップの高温計側の面では、少なくとも１個の二次圧力密封パッキン押さえが嵌合され、それは、光経路が一次圧力密封パッキン押さえから出て、加圧ガス室および二次圧力密封パッキン押さえを貫通するように位置決めされる。圧力キャップは、加圧されたガスを加圧ガス室に供給するよう、ガス源および圧力ガス室と流体連結された、少なくとも一つのガス入口を有する。シールフランジは、圧力キャップの高温計側の面に接して固定された反応器側の面を有するため、光経路と柔軟性光ケーブルとの連結を装置全体の取扱いの際の破損から保護する、保護スリーブを連結するための基礎を形成する。シールフランジは、二次圧力密封パッキン押さえが該シールフランジを貫通できるように、開口を有する。反応器側の末端および高温計側の末端を有する柔軟性光ファイバーケーブルは、光経路の、二次圧力密封パッキン押さえを貫通した光伝達端に光学的に連結される。光ファイバーケーブルの高温計側の端は、高温計に光学的に結合される。一つの好適な実施態様では、少なくとも２個の光経路を用いる。第一の光経路は、コヒーレント光を反応器内へと伝達するのに用い、第二の光経路は、反応器の温度を決定するために、反応器内に伝達されたコヒーレント光の反射はもとより、反応器壁の熱によって生成された赤外線も受容するのに用いる。上記の実施態様のそれぞれで、光経路は、サファイアロッドもしくはサファイア製光ファイバーであってよいか、または好ましくは、光経路は、金属で被覆されたシリカ製光ファイバーであってもよい。
【００３５】
本発明の構造および方法は、好適な実施態様に関して記載されているが、当業者には、本発明の概念および範囲からの逸脱なしに、本明細書に記載されたものに変化を与え得ることは、明白であろう。当業者には明白である、そのような類似の置換および改良は、特許請求の範囲に詳述される限りの、本発明の範囲および概念内にあると見なされる。
【図面の簡単な説明】
【図１】  本発明の例示的な実施態様を組み込んだフィードインジェクタ酸素ランスの模式的断面図である。
【図２】  図１に示した実施態様に用いられる、光経路の反応器側の末端の拡大図である。
【図３】  本発明の第二の例示的な実施態様の模式的断面図である。
【図４】  図３に示しためくらフランジ３６における６個の圧力シールの嵌合の位置のレイアウトの平面図である。
【図５】  窒素緩衝室を組み込んだ、本発明の第三の例示的な実施態様の模式的断面図である。
【図６】  反応器の側壁を通じて用いるための、本発明の第四の例示的な実施態様の模式的断面図である。
【図７】  サーモウェルが反応器の環境と接触している、本発明の第五の例示的な実施態様の模式的断面図である。
【図８】  本発明の第六の例示的な実施態様の模式的断面図である。
【図９】  図８に示した例示的な実施態様の、窒素パージ室を貫通する、光ファイバーの拡大図である。
【図１】
0004493842.tif 000002
【図２】
0004493842.tif 000003
【図３】
0004493842.tif 000004
【図４】
0004493842.tif 000005
【図５】
0004493842.tif 000006
【図６】
0004493842.tif 000007
【図７】
0004493842.tif 000008
【図８】
0004493842.tif 000009
【図９】
0004493842.tif 000010